(57)【要約】【課題】ゴム紐をゴム穴に通しているときゴム紐の端がゴム穴に入り込むことを防ぎ、通したゴム紐を容易に結ぶことができるゴム紐通し補助具を開発すること。【解決手段】パッチなどのゴム紐７を替える時に使用する補助具であって、該補助具は、ゴム紐穴より大きな板状の本体２からなり、板状の本体の正面視上辺のほぼ中央Ａに切欠溝５を設け、正面視左右の側辺の下方には張出部６−１、張出部６−２をそれぞれ設け、正面視下辺のほぼ中央付近Ｅから先端に支持部４を備えた突出舌片３を設けたことによりゴム紐７の端がゴム紐穴に入り込むことを防ぎ容易にゴム紐７を結ぶことが可能となる。【選択図】図５
2013151766.tif 000002
【特許請求の範囲】
【請求項１】
パッチなどのゴム紐を替える時に使用する補助具であって、該補助具は、ゴム紐穴より大きな板状の本体からなり、板状の本体の正面視上辺のほぼ中央に切欠溝を設け、正面視左右の側辺の下方には張出部をそれぞれ設け、正面視下辺のほぼ中央に、先端に支持部を備えた突出舌片を設けたことを特徴とするゴム紐通し補助具。
【請求項２】
正面視下辺のほぼ中央に設けた突出舌片の支持部が本体の正面視下辺より正面前方下方に位置することを特徴とする請求項１に記載のゴム紐通し補助具。
【発明の詳細な説明】
【技術分野】
【０００１】
本発明はパッチなどのゴム紐を替える時に使用する補助具に関するものである。
【背景技術】
【０００２】
これまでパッチなどのゴム紐を替える時にゴム紐の端がパッチなどのゴム紐穴に入ってしまうことが多かった。そこで、入ってしまうことを防ぐためにゴム紐の端に大きな結び目を作ったり何かにくくりつけたりしてゴム紐の端がゴム紐穴に入り込まないようにしていた。
【発明の概要】
【発明が解決しようとする課題】
【０００３】
しかし、ゴム紐の端がゴム紐穴に入り込まないようにするためにゴム紐の端に大きな結び目を作ったとしても、その結び目がゴム紐穴に入ってしまうこともあるし、また結び目を硬く結んでしまったためにほどくのに時間がかかってしまうこともある。そして、ゴム紐を上手くゴム紐穴に通せたとしても、ゴム紐穴に通したゴム紐の両端を結ぶ場合に一般的に採用されている本結びを上手く結ぶことができなかった。
【０００４】
そこで、本発明者はゴム紐をゴム紐穴に通す時にゴム紐の端がゴム紐穴に入り込むことを防ぎ、通したゴム紐を容易に本結びができる用具はできないか考えた。
【課題を解決するための手段】
【０００５】
本発明のゴム紐通し補助具は、パッチなどのゴム紐を替える時に使用する補助具であって、該補助具は、ゴム紐穴より大きな板状の本体からなり、板状の本体の正面視上辺のほぼ中央に切欠溝を設け、正面視左右の側辺の下方には張出部をそれぞれ設け、正面視下辺のほぼ中央に、先端に支持部を備えた突出舌片を設けたことを特徴とする。
【０００６】
また、正面視下辺のほぼ中央に設けた突出舌片の支持部が本体の正面視下辺より正面前方下方に位置することを特徴とする。
【０００７】
本願発明のゴム紐通し補助具により通したゴム紐を容易に本結びできることを図１、図２、図３、図４を用いて説明すると、図１に図示しているように板状の本体の正面視上辺のほぼ中央Ａに切欠溝を設け、ゴム紐の一端を折り返し、折り返しによって二本になったゴム紐７−１、ゴム紐７−１３を本体の表面に接するように切欠溝Ａに固定し、ゴム紐７−１３の延長のほぼ先端のゴム紐７−１６には針が通されている。本体の正面視下辺のほぼ中央に本体の正面視下辺より正面前方下方Ｂに支持部が位置するように先端に支持部を設けた突出した突出舌片を設け、切欠溝Ａに固定され本体の裏面に位置する折り返しによって先端が繋がっているゴム紐７−１の延長のゴム紐７−２、ゴム紐７−１３の延長のゴム紐７−１２を本体の裏面から突出舌片の裏面を沿わせてゴム紐７−２の延長のゴム紐７−３、ゴム紐７−１２の延長のゴム紐７−１１を形成して支持部に支持させ、本体の正面前方下方Ｂから本体の表面に出されたゴム紐７−３の延長のゴム紐７−４、ゴム紐７−１１の延長のゴム紐７−１０を支持部の表面に沿わせて、正面視左右の側辺の下方に設けた張出部左引掛け部Ｃにゴム紐７−４の延長のゴム紐７−５を引掛け張出部左引掛け部Ｃの裏面にゴム紐７−６を形成し、張出部右引掛け部Ｄにゴム紐７−１０の延長のゴム紐７−９を引掛け張出部左引掛け部Ｄの裏面にゴム紐７−８を形成したことによって本体の表面のほぼ中央にゴム紐７−７が形成されている。
【０００８】
図２に図示されているのは本体の切欠溝Ａに固定され本体の表面に位置するゴム紐７−１３の延長上のほぼ先端に針を通したゴム紐７−１６がゴム紐穴入口１６−１から通されゴム紐穴出口１６−２から出されて、本体の表面から本体と突出舌片とゴム紐７−５でできた空間１４から、図２の一部破断図のところに示すように突出舌片の裏面に沿わされているゴム紐７−３、ゴム紐７−１１のさらに奥に通し、本体と突出舌片とゴム紐７−９とでできた空間１５に通されて針を取り外して親指と人差し指でゴム紐７−１６、ゴム紐７−１７付近を撮んでいる。
【０００９】
図３は図２の本体２からゴム紐のみを抽出したものが図示されている。
【００１０】
図４に図示されているのは、図３のゴム紐を本結びしたときの位置を表している。図２、図３で示した本体の張出部左引掛け部Ｃに引掛けたゴム紐７−６と張出部右引掛け部Ｄに引掛けたゴム紐７−８を外してゴム紐７−１７を引っ張ると本体のほぼ中央に形成されたゴム紐７−７を中心に本体の表面に位置するゴム紐７−１とゴム紐７−１の延長の本体の裏面に位置するゴム紐７−２からゴム紐７−１２と本体の表面に位置するゴム紐７−１２の延長のゴム紐７−１３で本結びの一方が形成され、本体の表面に位置するゴム紐７−１３の延長のゴム紐の先端付近のゴム紐７−１４、ゴム紐７−１５、ゴム紐７−１６、ゴム紐７−１７、で本結びのもう一方が形成される。このように、本願発明のゴム紐通し補助具は容易に本結びができる。
【発明の効果】
【００１１】
本願発明のゴム紐通し補助具はゴム紐穴より大きな板状の本体からなっているので、ゴム紐の端がゴム紐穴に入り込むことを防ぐことができる。そして、切欠溝と張出部と支持部を備えた突出舌片を設けたことにより確実にゴム紐が本体に固定でき、通したゴム紐の両端を本結びすることができる。
【００１２】
また、突出舌片の支持部の先端を本体の正面視下辺より正面前方下方に設けたことで、針の運びが容易となり通したゴム紐の両端を容易に本結びすることができる。
【図面の簡単な説明】
【００１３】
【図１】本発明のゴム紐通し補助具にゴム紐を架けた図面。
【図２】ゴム紐の経路を示した図面。（一部破断図）
【図３】ゴム紐通し補助具からゴム紐のみを抽出した図面。
【図４】本結びの図面。
【図５】本発明のゴム紐通し補助具の正面図。
【図６】ゴム紐通し補助具の側面図。
【図７】ゴム紐通し補助具にゴム紐を架けた図面。
【図８】ゴム紐通し補助具の使い方を示した図面。
【図９】図８の裏面図。
【図１０】ゴム紐通し補助具の使い方を示した図面。
【図１１】ゴム紐通し補助具の使い方を示した図面。
【図１２】本結びの完成を示した図面。
【発明を実施するための形態】
【００１４】
以下本発明にかかるゴム紐通し補助具について図５から図１２に基づいて説明する。
【００１５】
本発明のゴム紐通し補助具１は図５、図６に図示されているように一枚の板状の本体２に起伏を設けた構成である。
【００１６】
本体２は本体２にゴム紐７を固定するために本体２の正面視上辺のほぼ中央ａに切欠溝５を設け、ゴム紐７を本結びするために本体２の正面視下辺のほぼ中央ｅから正面視下辺より正面前方下方ｂに支持部４が位置するように先端に支持部４を設けた突出した突出舌片３を設けている。支持部４は支持片４−１と支持片４−２の間に設けた支持溝４−３で構成されている。そして、ゴム紐７の結びを助けるために本体２の正面視側辺の下方の左ｃから張出部６−１、右ｄから張出部６−２を設け、ゴム紐７を本体の張出部６−１、張出部６−２から外し易くするために本体２の表面のほぼ中央に形成されているゴム紐７の裏面の本体２を切り抜いた補助部材８が設けられている。
【００１７】
図７に図示されているようにゴム紐７の一端にはゴム紐穴を移動するために針１１が通され、他端は折り返し切欠溝５で固定されている。折り返した二本のゴム紐７を本体２の裏面から突出舌片３の裏面を沿わせて支持片４−１と支持片４−２の間に設けた支持溝４−３で支持して本体２の表面に出されたゴム紐７の一端が張出部６−１に架けられ、他方の一端が張出部６−２に架けられている。
【００１８】
図８、図９、図１０、図１１、図１２は、ゴム紐穴にゴム紐７が通されゴム紐７を結ぶ手順が図示されている。図８、図９で図示されているようにゴム紐穴の一方から入れた針１１がゴム紐穴の他方から出だされ本体２の表面から突出舌片３の裏面を通し本体２の表面に通されている。
【００１９】
図１０に図示されているように、ゴム紐７を通していた針１１を取り外し、そのゴム紐７の一端を親指１２と人差し指１３で撮んでいる。
【００２０】
図１１、図１２に図示されているように、親指１２と人差し指１３で撮んだゴム紐７の一端を持ちながら、補助部材８に指を入れてゴム紐を浮かしながら指を左右に動かし張出部６−１と張出部６−２に架けたゴム紐７を外し、親指１２と人差し指１３で撮んだゴム紐７を引くとゴム紐７を結ぶことができる。
【００２１】
実施例に記載の補助部材８の形状は円状の穴であるが、本結びをするときにゴム紐７を張出部６−１と張出部６−２から外し易い形状で、ゴム紐７をパッチなどに通すときに邪魔にならずにゴム紐通し補助具１から突然外れることがなく、強度があり、壊れにくく、本体２の強度が保て、ゴム紐通し補助具１の機能の害うことがない構成であればよく特に限定するものではない。
【００２２】
ゴム紐通し補助具１の素材においては、プラスチック、ゴム、鉄、アルミなどの繰り返し使用できる強度のあるものが理想であるが、場合によっては紙、木材など特に限定するものではない。また、強度のあるワイヤーなどのフレーム式にしても良い。
【００２３】
ゴム紐通し補助具１の大きさ、高さ、長さ、幅、形、デザイン、色などはゴム紐の端がゴム穴に入り込むことを防ぎ、容易にゴム紐を結ぶことができる構成であればよく特に限定するものではない。
【００２４】
突出舌片３、支持部４、張出部６の構成は機能を害わず、強度があり、壊れにくい構成であればよく、特に限定するものではない。
【００２５】
切欠溝５の構成はゴム紐７を確実に留めることができ、ゴム紐７を結び終えた後に取り外しが容易にできて、強度のある構成であればよく特に限定するものではない。
【符号の説明】
【００２６】
１              ゴム紐通し補助具
２              本体
３              突出舌片
４              支持部
４−１         支持片
４−２         支持片
４−３         支持溝  
５              切欠溝
６              張出部
６−１         張出部
６−２         張出部
７              ゴム紐
８              補助部材
１１            針
１２            親指
１３            人差し指
１４            空間
１５            空間  
１６            ゴム紐穴
１６−１      ゴム紐穴入口
１６−２      ゴム紐穴出口
Ａ             正面視上辺のほぼ中央
Ｂ             正面視下辺より正面前方下方
Ｃ             正面視側辺の下方の左
Ｄ             正面視側辺の下方の右
Ｅ             正面視下辺付近の中央
【図１】
2013151766.tif 000003
【図２】
2013151766.tif 000004
【図３】
2013151766.tif 000005
【図４】
2013151766.tif 000006
【図５】
2013151766.tif 000007
【図６】
2013151766.tif 000008
【図７】
2013151766.tif 000009
【図８】
2013151766.tif 000010
【図９】
2013151766.tif 000011
【図１０】
2013151766.tif 000012
【図１１】
2013151766.tif 000013
【図１２】
2013151766.tif 000014